(57)【要約】【課題】  既存の木製カーテンウオールを、外装部に金属部材を用いた耐久性にすぐれ、かつ木製部材と金属部材との熱伸縮差が吸収される構造に作業性良く改修することができるカーテンウオール構造を提供すること。【解決手段】  縦方向に延びる木製の方立１と横方向に延びる木製の無目２に長手方向に所定の間隔をおいて断熱性のクランプ部材６をねじ部材６０により回動可能に軸支せしめ、方立１および無目２に沿って設ける金属製取付具７の室内側の端縁に縦方向にスリット７３を形成して、スリット７３にクランプ部材６を挿通させ、クランプ部材６をハンドル部６３の操作により回動させてクランプ部材６の相対向する挟持部６１，６２により上記取付具７の端縁を挟み付けて端縁を係止させ、上記取付具７の外端に取付けた金属製カバー板４Ａ，４Ｂと、方立１および無目２との間でガラス板３の外周を挟み込む構造とした。【選択図】        図１
2005344316.tif 000002
【特許請求の範囲】
【請求項１】
上下方向に延びる木製の方立と、水平方向に延びる木製の無目とを交差させて、これら方立および無目で囲まれた部分にガラス板等のパネル部材を組込んでなる建造物のカーテンウオールであって、
上記方立および無目のそれぞれの室外側の端面にこれらの長手方向に所定の間隔をおいて立設したねじ部材に回動可能に軸支せしめた合成樹脂製のクランプ部材と、
上記方立および無目に沿ってそれぞれ上下方向および水平方向に配置されて室内側の端部が上記クランプ部材に嵌合され、上記クランプ部材を回動させることで上記室内側の端部が上記クランプ部材を介して上記方立および無目にこれらとの熱伸縮差を吸収可能に係合される金属製取付具と、
上記方立および無目を覆うように上下方向および水平方向に配置され、上記金属製取付具の室外側の端部に係止される金属製のカバー板と、
上記カバー板と上記方立との間、および上記カバー板と上記無目との間で外周部が挟持される上記パネル部材を具備することを特徴とする建造物のカーテンウオール。
【請求項２】
上記金属製取付具は上記方立及び無目に沿ってそれぞれ延びる長尺体で、室内側の端部を、長手方向にスリットを有する断面角形Ｃ字形状に形成し、
上記クランプ部材は、間隙をおいて対向する板状の挟持部と、一方の挟持部から延出するハンドル部と、両挟持部を連結する筒状の軸受部からなる一体成形体で構成し、上記軸受部はその外径を上記金属製取付具のスリットに挿通可能な寸法に形成し、上記一方の挟持部と対向する他方の挟持部は細長形状で幅を上記軸受部の外径とほぼ同じ寸法に形成し、
上記他方の挟持部が上記方立および無目の長手方向に沿う方向となる姿勢で上記ねじ部材に軸支せしめた上記クランプ部材の軸受部を上記スリットに挿通せしめて上記金属製取付具の室内側の端部を上記クランプ部材に嵌合させ、上記クランプ部材をそのハンドル部により回動させて、上記スリットの両側の上記金属製取付具の端縁を上記両挟持部間で挟み込んで上記金属製取付具を上記クランプ部材に係合せしめた請求項１記載の建造物のカーテンウオール。
【請求項３】
上記クランブ部材の細長形状の上記他方の挟持部を、上記ハンドル部の延出方向とほぼ直交する方向に形成した請求項２に記載の建造物のカーテンウオール。    
【請求項４】
上記パネル部材を、間隙をおいて対向する二重構造のガラス板で構成した請求項１ないし請求項３のいずれかに記載の建造物のカーテンウオール。
【発明の詳細な説明】
【技術分野】
【０００１】
本発明は建造物の外壁面を形成するカーテンウオールに関するものである。
【背景技術】
【０００２】
建造物の外壁面を形成するカーテンウオールは、図７に示すように、上下方向に延びる縦桟としての方立１と、水平方向に延びる横桟としての無目２とを交差させて、これらで囲まれた枠内にガラス板や化粧板等のバネル部材３を組込んだ構造とされている。
【０００３】
図８および図９は方立１および無目２等の枠部材として木製のものを用いたカーテンウオールの代表例を示すもので、方立１および無目２の室外側の端面に沿ってそれぞれ長手方向に角柱状の木製の支持部材８Ａ．８Ｂを配し、支持部材８Ａ，８Ｂの端面にそれぞれ方立１および無目２を覆う木製のカバー部材４Ａ，４Ｂを木ねじ４１で支持部材８Ａ，８Ｂを介して方立１および無目２でねじ締めし、方立１とカバー部材４Ａとの間、および無目２とカバー部材４Ｂとの間でパネル部材（図例ではガラス板）３の外周部をシール材３３およびバッアップ材３２を介して挟み込み固定する構造としてある。
【０００４】
しかしながら、この構造では木製のカバー部材４Ａ，４Ｂが雨水等に晒されるから、水が木製のカバー部材４Ａ．４Ｂから木製の支持部材８Ａ，８Ｂへと滲み込んで経時により腐食が発生し、耐久性に問題がある。
【０００５】
そこで木製のカバー部材４Ａ．４Ｂに代えて金属、例えばアルミニウム製のものを用いることが考えられるが、木製の支持部材８Ａ，８Ｂとの熱伸縮差からカバー部材４Ａ，４Ｂおよび支持部材８Ａ，８Ｂに破損が生じるおそれがある。
【０００６】
そこで方立および無目しとて、室内の内装部材や家具とよく調和し、冬期において結露が生じにくい木製のものを用い、外気にさらされる部材として腐食しにくい金属材を用い、かつ木材と金属材との間の熱伸縮差を吸収するカーテンウオール構造が提案されている。
【０００７】
例えば下記特許文献１に記載の構造は、木製の方立および無目の室外側の端面にそれぞれ、これらの長手方向に延びるスリットまたは長穴が形成された金属製下地材を固着し、上記スリットまたは長穴に金属製のボルト部材の頭部を移動可能に装置し、ボルト部材に金属製取付具を連結するとともに金属製取付具に断熱材を介して金属製外押縁部材（カバー板）を取付け、このカバー部材とこれと対向させて上記金属製取付具に取付けた内押縁部材との間でパネル部材を挟み込む構造としている。
【０００８】
この構造によれば、方立および無目に固着された金属下地材に対して金属製取付具およびこれに連結する金属製カバー部材は、ボルト部材を介して移動可能であるから、金属製取付具および金属製カバー部材と、木製の方立および無目との熱伸縮さが吸収され、熱伸縮差に起因するカーテンウオール構成部材の破損が防止される。
【特許文献１】特許第２７６６２２１号公報（図３，図４）。
【発明の開示】
【発明が解決しようとする課題】
【０００９】
図８および図９に示すように、カバー部材やこれを支持する支持部材など、方立および無目を覆う外装部材を木材とした従来のカーテンウオールは雨水等に対して弱く腐食しやすいことから、既存の建造物の古くなった外装部を金属製のものに改修したいとの要請が多い。この場合、金属の外装部と木材の方立および無目との熱伸縮差を吸収する構造とする必要があることから工事が大がかりとなる。図６，７に示す従来構造を例えば上記特許文献１の構造に改修するには、木ねじ４１にて方立１や無目２に固着されたカバー部材４Ａ，４Ｂおよび支持部材８Ａ，８Ｂを取り外し、方立１および無目２の端面に長さ方向全長に長穴またはスリットを有する金属下地材を固着し、これに移動可能にボルト部材を取付け、ボルト部材に金属支持部材をおよび断熱材を介してカバー板を取付けるなど、工事が大かかかりとなってコスト高となり、実用的な改修方法とは言えない。
【００１０】
そこで本発明は、既存の従来構造ののカーテンウオールを、室内に現れる木製の方立や無目をそのまま残し、外気に晒される外装部を耐候性にすぐれた金属とし、木製の方立および無目と金属製の外装部との間の熱伸縮差が吸収できる構造に作業性容易かつ低コストて改修することができるカーテンウオールを提供することを課題としてなされたものである。
【課題を解決するための手段】
【００１１】
本発明に係る建造物のカーテンウオールは、上下方向に延びる木製の方立と、水平方向に延びる木製の無目とを交差させて、これら方立および無目で囲まれた部分にガラス板等のパネル部材を組込んでなる建造物のカーテンウオールであって、上記方立および無目のそれぞれの室外側の端面にこれらの長手方向に所定の間隔をおいて立設したねじ部材に回動可能に軸支せしめた合成樹脂製のクランプ部材と、上記方立および無目に沿ってそれぞれ上下方向および水平方向に配置されて室内側の端部が上記クランプ部材に嵌合され、上記クランプ部材を回動させることで上記室内側の端部が上記クランプ部材を介して上記方立および無目にこれらとの熱伸縮差を吸収可能に係合される金属製取付具と、上記方立および無目を覆うように上下方向および水平方向に配置され、上記金属製取付具の室外側の端部に係止される金属製のカバー板と、上記カバー板と上記方立との間、および上記カバー板と上記無目との間で外周部が挟持される上記パネル部材を具備することを特徴とするる（請求項１）。上記構造においては、木製の方立および無目と金属製のカバー板および取付具の熱伸縮差は、クランプ部材に係合された取付具の端部がクランプ部材に対して移動することで吸収される。また金属製の取付具は、合成樹脂からなる断熱性のクランプ部材を介して方立および無目に連結されているから、冬期において金属製のカバー板や取付具に結露が生じても方立や無目には結露が発生せず、従って結露に起因する方立および無目の材質劣化が防止される。また従来の木製カーテンウオールを、金属材を用いた耐候性にすぐれたカーテンウオールに作業性よく改修することができる。
【００１２】
上記金属製取付具は上記方立および無目に沿ってそれぞれ延びる長尺体で、室内側の端部を、長手方向にスリットを有する断面角形Ｃ字形状に形成し、上記クランプ部材は、間隙をおいて対向する板状の挟持部と、一方の挟持部から延出するハンドル部と、両挟持部を連結する筒状の軸受部からなる一体成形体で構成し、上記軸受部はその外径を上記金属製取付具のスリットに挿通可能な寸法に形成し、上記一方の挟持部と対向する他方の挟持部は細長形状で幅を上記軸受部の外径とほぼ同じ寸法に形成し、上記他方の挟持部が上記方立および無目の長手方向に沿う方向となる姿勢で上記ねじ部材に軸支せしめた上記クランプ部材の軸受部を上記スリットに挿通せしめて上記金属製取付具の室内側の端部を上記クランプ部材に嵌合させ、上記クランプ部材をそのハンドル部により回動させて、上記スリットの両側の上記金属製取付具の端縁を上記両挟持部間で挟み込んで上記金属製取付具を上記クランプ部材に係合せしめた（請求項２）。クランプ部材を方立および無目に容易に取付けることができ、かつクランプ部材を介して上記支持部材を作業性よく方立および無目に取付けることができる。
【００１３】
上記クランプ部材の細長形状の上記他方の挟持部を、上記ハンドル部の延出方向とほぼ直交する方向に形成する（請求項３）。金属製取付具をクランプ部材に係合せしめるためのクランプ部材の操作が容易である。
【００１４】
上記パネル部材を、間隔をおいて対向する二重構造のガラス板で構成する（請求項３）。本発明によれば、従来の一重のガラス板のカーテンウオールを結露の発生しにくい二重構造のガラス板に改修することができる。
【発明の効果】
【００１５】
本発明によれば、木製の方立および無目に、これらを覆い、かつパネル部材を保持させる金属部材を、大がかりな工事を必要とせず作業性容易に取付けるようにしたから、既存の従来構造の木製カーテンウオールを低コストで耐候性にすぐれ、かつ金属部材と木製の方立および無目との間の熱伸縮差を吸収し得るカーテンウオールに改修することができる。
【発明を実施するための最良の形態】
【００１６】
本発明によるカーテンウオールの方立および無目は木材により構成される。
図７に示すように方立１は複数の方立を上下方向に連結して構成され、無目２は相隣れる左右の方立１間に水平方向に設置されている。以下、本発明のカーテンウオールを施工の順序に従って説明する。
【００１７】
図３，４に示すように方立１の室外側の端面に左右に対をなすクランプ部材６を、上下方向に所定の間隔（例えば５０ｃｍ間隔）で回動可能に取付ける。クランプ部材６は熱伝導率の低い合成樹脂、例えば塩化ビニルやポリアミドからなる一体成形体で、図３に示すように、相対向する板状の挟持部６１，６２が筒状の軸受部６４により結合されている。挟持部６１からはハンドル部６３が延出している。挟持部６１は円形としてあり、挟持部６２は挟持部６１よりも小形で細長形状としてあり、長さは挟持部６１の径よりも若干小さくしてあり、幅は軸受部６４の外径とほぼ同じないしはそれよりも若干小さくしてある。挟持部６２は、その長さ方向がハンドル部６３の延出方向とほぼ直交する方向となるように形成してある。係合片６１，６２の対向間隔は、後記する金属製取付具７（図５）の板厚とほぼ同じとしてある。
【００１８】
図４に示すようにクランプ部材６は、軸受部６４に挟持部６２側からねじ部材６０を挿通し、ねじ部材１を方立１の端面に、挟持部６１が上記端面に密着するまでねじ込むことにより取付けられる。クランプ部材６はハンドル部６３が水平方向となる姿勢、すなわち挟持部６２が方立１の長さ方向に沿う方向となる姿勢にセットされる。
【００１９】
無目２においても同様に、所定の間隔をおいてクランプ部材６が、挟持部６２が無目２の長さ方向に沿う姿勢でねじ部材６０により軸支させる。
【００２０】
図５，図６に示すように方立１（無目２においても同じ）にはこれに沿って、クランプ部材６を介して金属製取付具７が取付けられる。
【００２１】
取付具７は金属板、例えばアルミニウム板からなり、方立１に沿って縦方向に延び、板面が方立１の端面と直交するように配される互いに平行な一対の板体７１と、方立１と対向する板体７１の一方の端縁に形成された係合部７２を一体に備えている。係合部７２は角形のＣ字形状で中央に縦方向にスリット７３を有する左右一対の係合部からなる。スリット７３の溝幅は、クランプ部材６の軸受部６４の外径よりも若干大きくしてある。板体７１の他方の端部には金属製カバー板５Ａ（図１）を嵌着する断面コ字形の嵌合部７４が形成してある。
【００２２】
金属製取付具７は、方立１に上下方向に間隔をおいて軸支されて挟持部６２を上下方向に沿う方向とされたクランプ部材６の軸受部６４に、上方からスリット７３を挿通させてクランプ部材６に嵌合せしめる。そしてクランプ部材６をそのハンドル部６３を工具を用いて下方へ約９０°回動操作すると、図５，図６に示すように挟持部６２は水平方向となり、挟持部６１，６２により取付具７はスリット７３の両側のパネルが挟み付けられ、取付具７はクランプ部材６に係合し位置決めされる。
【００２３】
金属製取付具７としては１本の長さが３ｍ程度のものが一般に用いられる。取付具７を取付ける際しては、先ず１本の取付具７を取付けるに必要な上下方向の範囲でクランプ部材６を方立１に上下複数段設けてこれに１本の取付具７を上から挿通させてハンドル操作によりクランプ部材６に嵌合させ、続いてその上方に同様の作業で他の１本の取付具７を設け、このようにして方立１の全長にわたり取付具７を設ける。
【００２４】
以上、方立１へのクランプ部材６および取付具７の設置について説明したが、無目２においても同様の作業で無目２の長手方向に順次クランプ部材６および取付具７を設置する。
【００２５】
図１および図２に示すように、ガラス板３は方立１および無目２の端面の左右両端縁に沿って設けた木製角材のガラス押え部材１１と、方立１側および無目２側の金属製取付具７の室外側の端部にぞぞれ取付けた縦方向のカバー板５Ａおよび水平方向のカバー板５Ｂとの間でガラス板３の外周部を挟み込むことにより取付けられる。ガラス板３は、２枚のガラス板３ａ，３ｂがこれらの周縁でスペーサ３１を介して結合された二重構造としてある。カバー板５Ａ，５Ｂはアルミニウム板で、方立１および無目２の前方を覆うものであり、方立１および無目２の幅とほぼ同幅としてある。
【００２６】
二重構造のガラス板３を取付けるに際しては、室内側のガラス板３ａの内面および室外側のガラス板３ｂの外面の外周にバックアップ材、例えば合成樹脂発泡体のバックアップ材３２を接合し、ガラス板３を方立１および無目２に取付けた取付具７により囲まれた部分に配し、取付具７の外端にカバー板５Ａ，５Ｂを取付け、カバー板５Ａと方立１側のガラス押さえ部材１１との間、およびカバー板４Ｂと無目２側のガラス押さえ板１１との間で上記バックアップ材３２を介して挟み込み、ガラス板３ａとガラス押さえ板１１との間隙、およびカバー板５Ａ，５Ｂとガラス板３ｂとの間隙にシリコン系などのシール材３３を充填することによりガラス板３が取付けられる。なおガラス板３の下縁は硬質ゴムの支持部材３４により金属製取付具７に支持せしめてある。
【００２７】
本発明の実施により構成されたカーテンウオール構造では、室内に現れる方立や無目は木製であるから金属に比べて暖か味があり、かつ部屋の内装や家具類とよく調和する。そして外気に晒されるカバー板やこれに連結する部材はアルミニウムの金属材であるから、腐食が生じにくく耐久性にすぐれている。また、経年によりシール材やバックアップ材の材質が劣化して雨水が金属製取付具側に入り込み、冬期において取付具に結露が生じても、木製の方立および無目とはこれらの間に断熱性のクランプ部材が介在しているから、結露した水が方立や無目の木材に移行することがなく、方立や無目には結露に起因する腐食は生じない。
【００２８】
また金属製カバー板を支持する金属製の取付具と木製の方立および無目との熱伸縮差は、クランプ部材の両挟持部によって挟まれた取付具の端部が挟持部に対して摺動移動することにより吸収される。
【００２９】
特に本発明のカーテンウオール構造は、図８および図９に示す既存の木製のカーテンウオールが古くなって金属材を用いた耐久性のよいカーテンウオールに改修するときに効果を発揮する。改修は、既存の木製のカーテンウオールの木ねじをはずしてカバー板やガラス板などを除去し、既存の木製の方立および無目にクランプ部材をねじ部材で軸支させ、これに金属製取付具を係合させ、金属製カバー板と方立および無目とでガラス板を挟み込むことにより作業性容易になされ得る。構造が簡素であり、既存の方立や無目に加工を施す必要がなく、工事が大がかりとなることがなく、低コストで改修を行うことができる。
【図面の簡単な説明】
【００３０】
【図１】図７のＩ−Ｉ線に沿う位置での本発明のカーテンウオールの横断面図である。
【図２】図７のＩＩ−ＩＩ線に沿う位置での本発明のカーテンウオールの縦断面図である。
【図３】本発明のカーテンウオールに用いるクランプ部材を示すもので、（Ａ）は正面図、（Ｂ）は側面図、（Ｃ）はハンドル部側から見た端縁図である。
【図４】方立の端面に取付けられたクランプ部材を上方から見た図である。
【図５】金属製取付具に係合せしめたクランプ部材を上方から見た図である。
【図６】金属製取付具に係合せしめたクランプ部材の正面図である。
【図７】カーテンウオールの正面図である。
【図８】図７のＶＩＩＩ−ＶＩＩＩ線に沿う位置での従来のカーテンウオールの横断面図である。
【図９】図７のＩＸ−ＩＸ線に沿う位置での従来のカーテンウオールの縦断面図である。
【符号の説明】
【００３１】
１  方立
２  無目
３，３ａ，３ｂ  パネル部材（ガラス板）
３２  バックアップ材
３３  シール材
４Ａ，４Ｂ  木製カバー板
５Ａ，５Ｂ  金属製カバー板
６  クランプ部材
６０  ねじ部材
６１，６２  挟持部
６３  ハンドル部
６４  軸受部
７  金属製取付具
７３  スリット
【図１】
2005344316.tif 000003
【図２】
2005344316.tif 000004
【図３】
2005344316.tif 000005
【図４】
2005344316.tif 000006
【図５】
2005344316.tif 000007
【図６】
2005344316.tif 000008
【図７】
2005344316.tif 000009
【図８】
2005344316.tif 000010
【図９】
2005344316.tif 000011